(57)【要約】      （修正有）【課題】枠体を上方に重ねることにより、溝とラッチによる制限を受け、上方の二つの枠体による接続によって、全体が非常に安定になって倒れることがなく、デスクの空間を活用でき、綺麗になる多層オフィス収納枠を提供する。【解決手段】多層オフィス収納枠は、二つの枠体を有し、枠体は長方形の底板１と、底板に鉛直に固定された裏板４と、両側板２と、両側板の間にある仕切り板３とを含み、裏板、側板と仕切り板の上縁、下縁はそれぞれ面一になって、且つこれらの上縁と下縁はともにＥ字状をなしている。底板はＥ字状の構成より幅が大きく、下面のＥ字状の構成に対応する部位に、挿入溝が設けられている。また側板には制限ブロック５が設けられ、制限ブロックの上面に円柱形のラッチ６が設けられ、底板下面の対応部位にラッチ挿入穴が設けられている。【選択図】図１
0003217094.tif 000002
【実用新案登録請求の範囲】
【請求項１】
多層オフィス収納枠であって、二つの枠体を有し、前記枠体は長方形の底板と、底板に鉛直に固定された裏板と、両側板と、両側板の間にある仕切り板とを含み、前記裏板、側板と仕切り板の上縁、下縁はそれぞれ面一になって、且つこれらの上縁と下縁はともにE字状をなしており、前記底板は下縁によるE字状の構成より幅が大きくて、且つ底板の下面におけるE字状の構成に対応する部位に、E字状の構成と一致し且つそれを挿入させる溝が設けられており、前記側板の反対する面における一面に制限ブロックが設けられ、制限ブロックの上面に円柱形のラッチが設けられ、前記底板の下面におけるラッチに対応する部位にラッチを挿入させる挿入穴が設けられており、二つの枠体の裏板が対向して設置され、二つの枠体の一側に接続装置が設けられ、前記接続装置は二つの枠体を一体に接続するために設置されることを特徴とする多層オフィス収納枠。
【請求項２】
前記接続装置はクリップであり、前記クリックはヘッドとブッシュを含み、前記ヘッドは一方の枠体に位置しており、前記ブッシュは他方の枠体に位置していることを特徴とする多層オフィス収納枠。
【考案の詳細な説明】
【技術分野】
【０００１】
本考案は、収納枠に属し、特に多層オフィス収納枠に関する。
【背景技術】
【０００２】
収納枠は品物を収納する枠であり、家の空間に対する設計において部屋空間の省スペース化を大幅に実現し、家の空間を設計するデザイナーにインスピレーションとアイデアを提供し、装飾の機能も果たすことができる。オフィスの中でも収納枠の使用は欠かせない。書類、資料、筆などの収納に用いられ、デスク上のスペースをリリースする。しかし、従来の収納枠は一般的にプラスチック製の取り外し可能な枠であり、機の上に一つしか置かないことや、多数を置いている時に並べて置けなければならないことなど、非常に空間を占用する問題がある。もし重ねて置くことにしたら安定できず倒れやすい。  
従来のオフィスデスクは、隔て板を介して互いに対向して設置されることが多い。この隔て板は一般的にそのままで、他の利用が行われていない。
【考案の概要】
【考案が解決しようとする課題】
【０００３】
本考案は上記問題を解決することを目的とし、オフィスデスクの隔て板と結合することが可能で、かつ多層重ねて省スペースの多層オフィス収納枠を提供する。
【課題を解決するための手段】
【０００４】
上記目的を解決するために、本考案は、下記の技術方案を採用する。
多層オフィス収納枠は、二つの枠体を有し、前記枠体は長方形の底板と、底板に鉛直に固定された裏板と、両側板と、両側板の間にある仕切り板とを含み、前記裏板、側板と仕切り板の上縁、下縁はそれぞれ面一になって、且つこれらの上縁と下縁はともにE字状をなしている。前記底板は下縁によるE字状の構成より幅が大きくて、且つ底板の下面におけるE字状の構成に対応する部位に、E字状の構成と一致し且つそれを挿入させる溝が設けられており、前記側板の反対する面における一面に制限ブロックが設けられ、制限ブロックの上面に円柱形のラッチが設けられ、前記底板の下面におけるラッチに対応する部位にラッチを挿入させる挿入穴が設けられており、二つの枠体の裏板が対向して設置され、二つの枠体の一側に接続装置が設けられ、前記接続装置9は二つの枠体を一体に接続するために設置される。
【０００５】
より好ましくは、前記接続装置はクリップであり、このクリックはヘッドとブッシュを含み、ヘッドは一方の枠体に位置しており、ブッシュは他方の枠体に位置している。
【考案の効果】
【０００６】
本考案の有利な効果は、現状の技術と比較して、本考案の全体として二つの枠体であって、当該二つの枠体が側方にある接続装置によって接続され、デスクの仕切り板を跨いで2人の利用に供するものである。それ以外に、枠体ごとの上縁らはE字状の構成をなし、底板の下面におけるE字状の構成に対応する部位にE字状の構成と一致し且つそれを挿入させる溝が設けられるので、上方の枠体の溝に下方の枠体の上縁を揃えて挿入して、ラッチを挿入穴に挿入する。このように、枠体を上方に重ねることにより、溝とラッチによる制限を受け、上方の二つの枠体の接続装置による接続によって、全体は非常に安定になって、倒れることはない。デスクの空間を活用することができ、とても綺麗になる。
【図面の簡単な説明】
【０００７】
【図１】図１は本考案の構造を示す図である。
【図２】図２は本考案の左視図である。
【図３】図３は図1における一つの枠体の上視図である。
【図４】図４は本考案の重なる状態の複数の効果図である。
【考案を実施するための形態】
【０００８】
下記に図面を用いて、本考案の実施形態に対して更に説明する。
【０００９】
＜実施例1＞
図1から4が示すように、多層オフィス収納枠は二つの枠体を有し、前記枠体は長方形の底板1と、底板1に鉛直に固定された裏板4と、両側板2と、両側板2の間にある仕切り板3とを含み、前記裏板4、側板2と仕切り板3の上縁、下縁はそれぞれ面一になって、且つこれらの上縁と下縁はともにE字状をなしている。前記底板1は下縁によるE字状の構成より幅が大きくて、且つ底板1の下面におけるE字状の構成に対応する部位に、E字状の構成と一致し且つそれを挿入させる溝7が設けられている。前記側板2の反対する面における一面に制限ブロック5が設けられ、制限ブロック5の上面に円柱形のラッチ6が設けられ、前記底板1の下面におけるラッチ6に対応する部位にラッチ6を挿入させる挿入穴8が設けられている。二つの枠体の裏板4が対向して設置され、二つの枠体の一側に接続装置9が設けられ、前記接続装置9は二つの枠体を一体に接続するために設置される。
【００１０】
本実施例において、前記接続装置9はクリップ9である。このクリックはヘッドとブッシュを含み、ヘッドは一方の枠体に位置しているが、ブッシュは他方の枠体に位置している。
【００１１】
本考案の全体として二つの枠体であって、当該二つの枠体が側方にある接続装置9によって接続され、デスクの仕切り板を跨いで2人の利用に供するものである。接続装置9により接続されるので、二つの枠体が互いに引っ張られ、倒れ難くなる。
【００１２】
また、本考案の全体は重なるようにしてもよい。この場合は、枠体ごとの上縁らはE字状の構成をなし、底板1の下面におけるE字状の構成に対応する部位にE字状の構成と一致し且つそれを挿入させる溝7が設けられるので、上方の枠体の溝7に下方の枠体の上縁を揃えて挿入して、ラッチ6を挿入穴8に挿入する。溝7とラッチ6による制限にくわえて、上方の二つの枠体の接続装置9による接続によって、全体は非常に安定になって、倒れることはない。
【００１３】
上記の重なる構成は、さらに上方に延伸して重なることも可能である。デスクにおける物を置くスペースをリリースし、鉛直方向の空間を活用することができ、とても綺麗になる。
【００１４】
本考案は特に二つ対向して設置され、隔て板を設けたデスクに適している。複数の部位にて制限されることにより倒れることはなく、それから書類などを引き取る時にも非常に安定に支持される。
【符号の説明】
【００１５】
1  底板
2  側板
3  仕切り板
4  裏板
5  制限ブロック
6  ラッチ
7  溝
8  挿入穴
9  接続装置
【図１】
0003217094.tif 000003
【図２】
0003217094.tif 000004
【図３】
0003217094.tif 000005
【図４】
0003217094.tif 000006
【手続補正書】
【提出日】平成30年5月17日(2018.5.17)
【手続補正１】
【補正対象書類名】実用新案登録請求の範囲
【補正対象項目名】全文
【補正方法】変更
【補正の内容】
【実用新案登録請求の範囲】
【請求項１】
多層オフィス収納枠であって、二つの枠体を有し、前記枠体は長方形の底板と、底板に鉛直に固定された裏板と、両側板と、両側板の間にある仕切り板とを含み、前記裏板、側板と仕切り板の上縁、下縁はそれぞれ面一になって、且つこれらの上縁と下縁はともにE字状をなしており、前記底板は下縁によるE字状の構成より幅が大きくて、且つ底板の下面におけるE字状の構成に対応する部位に、E字状の構成と一致し且つそれを挿入させる溝が設けられており、前記側板の反対する面における一面に制限ブロックが設けられ、制限ブロックの上面に円柱形のラッチが設けられ、前記底板の下面におけるラッチに対応する部位にラッチを挿入させる挿入穴が設けられており、二つの枠体の裏板が対向して設置され、二つの枠体の一側に接続装置が設けられ、前記接続装置は二つの枠体を一体に接続するために設置されることを特徴とする多層オフィス収納枠。
【請求項２】
前記接続装置はクリップであり、前記クリックはヘッドとブッシュを含み、前記ヘッドは一方の枠体に位置しており、前記ブッシュは他方の枠体に位置していることを特徴とする請求項１に記載の多層オフィス収納枠。